(57)【要約】【課題】キートップの周囲に生じる隙間における光漏れを簡単な構造で容易に防止できる照光型スイッチ機構を提供する。【解決手段】可撓性を有し且つ透光性を有するゴム状弾性板３０上に透光性を有するキートップ２０−１〜８を取り付けてなるキートップ板１０と、キートップ板１０の上面側に設置されキートップ２０−１〜８を露出するキートップ露出部７１−１〜６を有する上ケース７０と、キートップ板１０の下面側に設置されるフレキシブルスイッチ基板５０と、下ケース９０と、を具備してなる照光型スイッチ機構１−１である。フレキシブルスイッチ基板５０上にはスイッチ５３と発光素子５５とが取り付けられている。上ケース７０のキートップ露出部７１−１〜６内で上ケース７０の外部から直接見えるゴム状弾性板３０に遮蔽層３５を形成する。【選択図】図１
2007048618.tif 000002
【特許請求の範囲】
【請求項１】
可撓性を有し且つ透光性を有するゴム状弾性板上に透光性を有するキートップを取り付けてなるキートップ板と、
前記キートップ板の上面側に設置され、前記キートップを露出するキートップ露出部を有するケースと、
前記キートップ板の下面側に設置され、前記キートップ板を照光する発光素子と、
前記キートップ板の下面側に設置され、前記各キートップによって押圧されるスイッチと、
を具備してなる照光型スイッチ機構において、
前記ケースのキートップ露出部内でケースの外部から直接見えるゴム状弾性板に遮蔽部材を設けたことを特徴とする照光型スイッチ機構。
【請求項２】
前記遮蔽部材は、前記ゴム状弾性板に形成される遮蔽層又は前記ゴム状弾性板に取り付けられる遮蔽シートであることを特徴とする請求項１に記載の照光型スイッチ機構。
【請求項３】
前記キートップ露出部内には複数のキートップが設置されており、これら複数のキートップの間に生じる隙間で且つケースの外部から直接見えるゴム状弾性板に、前記遮蔽部材が設けられていることを特徴とする請求項１又は２に記載の照光型スイッチ機構。
【請求項４】
前記キートップの外周辺とこのキートップを設置したキートップ露出部の内周辺との間に生じる隙間で且つケースの外部から直接見えるゴム状弾性板に、前記遮蔽部材が設けられていることを特徴とする請求項１又は２又は３に記載の照光型スイッチ機構。
【請求項５】
前記キートップには、このキートップを透して照らし出されるキートップ表面の範囲を制限する遮光部が設けられており、この遮光部の色彩と、前記遮蔽部材の色彩とが同色であることを特徴とする請求項１又は２又は３又は４に記載の照光型スイッチ機構。
【請求項６】
前記ケースのキートップ露出部の内周辺と、前記キートップの外周辺との間の隙間にて少なくとも前記遮蔽部材が露出している以外の隙間には、キートップの外周辺からケースのキートップ露出部の内周辺に向かって突出する遮蔽用つば部が形成されていることを特徴とする請求項１又は２又は３又は４又は５に記載の照光型スイッチ機構。
【請求項７】
前記ゴム状弾性板の前記発光素子の真上の位置には、光を散乱する光散乱部材が形成されていることを特徴とする請求項１乃至６の内の何れかに記載の照光型スイッチ機構。
【発明の詳細な説明】
【技術分野】
【０００１】
本発明は、携帯機器等に取り付けられているキートップを照光するのに用いて好適な照光型スイッチ機構に関するものである。
【背景技術】
【０００２】
従来、携帯電話機等の各種電子機器の操作部には、各種操作を行うためのキートップを略マトリクス状に設置してなる構造の照光型スイッチ機構が設置されている。この種の照光型スイッチ機構は、透光性を有するゴム状弾性板上に略マトリクス状の配列にて透光性を有するキートップを取り付けてなるキートップ板の上面をケース（外装ケース）で覆い、ケースに設けた開口からなるキートップ露出部からキートップの上面を露出し、一方ゴム状弾性板の裏面側に各キートップに対応するスイッチを設置すると共に発光素子を設置して構成されている。そして所望のキートップを押圧するとその真下のスイッチがオンする。一方前記発光素子を点灯するとキートップ板の下面側からゴム状弾性板を通してキートップが照光される。
【０００３】
ところで照光型スイッチ機構の中には、その装飾上、キートップの外周辺とこれを露出するケースのキートップ露出部の内周辺との間に生じる隙間や、一つのキートップ露出部内に収納した複数のキートップ間に生じる隙間部分等から、発光素子の光が漏れないようにすることが要求される場合がある。例えば、ケースを不透光性の材料で構成すると共にキートップの表面を不透光性の遮光層で覆い、遮光層中に遮光層を設けない抜き形状部（文字、記号等を含む）を設け、このキートップの抜き形状部のみを明るく照らし出す構成の照光型スイッチ機構の場合、ケース表面及びキートップ表面全体は光らずにキートップの抜き形状部のみを鮮明に表示することができる。そしてキートップの外周部分に隙間があるとこの隙間も明るく照らし出されてしまうので、この隙間の部分を照らし出さないようにしたい要望があった。
【０００４】
しかしながら従来、キートップの外周辺とケースのキートップ露出部の内周辺間の隙間や、一つのキートップ露出部内に収納した複数のキートップ間に生じる隙間部分等から、発光素子の光の漏れを簡単な構造で防止することはできなかった。
【特許文献１】特開平７−１６９３６１号公報
【発明の開示】
【発明が解決しようとする課題】
【０００５】
本発明は上述の点に鑑みてなされたものでありその目的は、キートップの周囲に生じる隙間における光漏れを、簡単な構造で容易に防止できる照光型スイッチ機構を提供することにある。
【課題を解決するための手段】
【０００６】
本願請求項１に記載の発明は、可撓性を有し且つ透光性を有するゴム状弾性板上に透光性を有するキートップを取り付けてなるキートップ板と、前記キートップ板の上面側に設置され、前記キートップを露出するキートップ露出部を有するケースと、前記キートップ板の下面側に設置され、前記キートップ板を照光する発光素子と、前記キートップ板の下面側に設置され、前記各キートップによって押圧されるスイッチと、を具備してなる照光型スイッチ機構において、前記ケースのキートップ露出部内でケースの外部から直接見えるゴム状弾性板に遮蔽部材を設けたことを特徴とする照光型スイッチ機構にある。
【０００７】
本願請求項２に記載の発明は、前記遮蔽部材は、前記ゴム状弾性板に形成される遮蔽層又は前記ゴム状弾性板に取り付けられる遮蔽シートであることを特徴とする請求項１に記載の照光型スイッチ機構にある。
【０００８】
本願請求項３に記載の発明は、前記キートップ露出部内には複数のキートップが設置されており、これら複数のキートップの間に生じる隙間で且つケースの外部から直接見えるゴム状弾性板に、前記遮蔽部材が設けられていることを特徴とする請求項１又は２に記載の照光型スイッチ機構にある。
【０００９】
本願請求項４に記載の発明は、前記キートップの外周辺とこのキートップを設置したキートップ露出部の内周辺との間に生じる隙間で且つケースの外部から直接見えるゴム状弾性板に、前記遮蔽部材が設けられていることを特徴とする請求項１又は２又は３に記載の照光型スイッチ機構にある。
【００１０】
本願請求項５に記載の発明は、前記キートップには、このキートップを透して照らし出されるキートップ表面の範囲を制限する遮光部が設けられており、この遮光部の色彩と、前記遮蔽部材の色彩とが同色であることを特徴とする請求項１又は２又は３又は４に記載の照光型スイッチ機構にある。
【００１１】
本願請求項６に記載の発明は、前記ケースのキートップ露出部の内周辺と、前記キートップの外周辺との間の隙間にて少なくとも前記遮蔽部材が露出している以外の隙間には、キートップの外周辺からケースのキートップ露出部の内周辺に向かって突出する遮蔽用つば部が形成されていることを特徴とする請求項１又は２又は３又は４又は５に記載の照光型スイッチ機構にある。
【００１２】
本願請求項７に記載の発明は、前記ゴム状弾性板の前記発光素子の真上の位置には、光を散乱する光散乱部材が形成されていることを特徴とする請求項１乃至６の内の何れかに記載の照光型スイッチ機構にある。
【発明の効果】
【００１３】
請求項１，２に記載の発明によれば、ケースのキートップ露出部内でケースの外部から直接見えるゴム状弾性板の部分、即ちキートップの周囲に生じる隙間からの光漏れを遮蔽部材によって簡単且つ確実に防止できる。またこの遮蔽部材によってゴム状弾性板自体の表面の色の露出を簡単且つ確実に防止できる。
【００１４】
請求項３に記載の発明によれば、キートップ露出部内に設置した複数のキートップ間に生じる隙間からの光漏れを遮蔽部材によって簡単且つ確実に防止できる。またこの遮蔽部材によってゴム状弾性板自体の表面の色の露出を簡単且つ確実に防止できる。
【００１５】
請求項４に記載の発明によれば、キートップとキートップ露出部との間に生じる隙間からの光漏れを遮蔽部材によって簡単且つ確実に防止できる。またこの遮蔽部材によってゴム状弾性板自体の表面の色の露出を簡単且つ確実に防止できる。
【００１６】
請求項５に記載の発明によれば、キートップに設けた遮光部の色彩と、遮蔽部材の色彩とを同色とするので、キートップ間又はキートップとキートップ露出部間の隙間が目立たなくなり、美観が向上する。
【００１７】
請求項６に記載の発明によれば、キートップに設けた遮蔽用つば部によって、キートップ露出部とキートップの間の隙間からの光漏れを確実に防止できる。またこの遮蔽用つば部によってゴム状弾性板自体の表面の色の露出を簡単且つ確実に防止できる。
【００１８】
請求項７に記載の発明によれば、発光素子から発射された光が散乱され、ゴム状弾性板上に取り付けた各キートップをムラなく均一に照光することができる。
【発明を実施するための最良の形態】
【００１９】
以下、本発明の実施形態を図面に基づいて詳細に説明する。図１は本発明の一実施形態にかかる照光型スイッチ機構１−１の分解斜視図である。同図に示すように照光型スイッチ機構１−１は、キートップ板１０の下面側にスイッチ基板（以下この実施形態では「フレキシブルスイッチ基板」という）５０を設置したものを、ケース（以下「上ケース」という）７０と下ケース９０との間に収納して構成されている。以下各構成部品について説明する。
【００２０】
図２は分解したキートップ板１０とフレキシブルスイッチ基板５０とを示す分解斜視図である。同図に示すようにキートップ板１０は、ゴム状弾性板３０上に複数のキートップ２０（２０−１〜８）を取り付けて構成されている。一つのキートップ２０−１は円板状であってその外周下部から外方に向かって遮蔽用つば部（以下この実施形態では「つば部」という）２１を突出して構成されている。四つのキートップ２０−２，３，４，５は略円弧状に彎曲する平板状に形成されており、前記キートップ２０−１を囲む位置に略リング状に配置され、二つずつ隣接して設置されている。隣接して設置された一対のキートップ２０−２，３及び一対のキートップ２０−４，５はそれぞれ隣接して隙間Ｓ１，Ｓ２を形成している辺を除くそれ以外の辺の下部全体（即ち三辺）から外方に向かって薄板状のつば部２１を突出して構成されている。キートップ２０−６は略矩形の平板状であり、キートップ２０−７，８は何れも略台形の平板状であり、何れのキートップ２０−６，７，８においてもその外周全体の下部から外方に向かって薄板状のつば部２１を突出して構成されている。つまりこれらキートップ２０−１〜８の内でつば部２１を設けていないのは隣接して設置されたキートップ２０−２，３とキートップ２０−４，５の対向している辺の部分のみである。これら対向している辺の部分につば部２１を設けなかったのは、デザイン上又は小型化のため、これらキートップ２０−２，３とキートップ２０−４，５の対向している辺間の隙間Ｓ１，Ｓ２が狭く、つば部２１を設けるスペースがなく、更には上ケース７０を隙間Ｓ１，Ｓ２の間に配置できないことによる。別の観点から言えば各キートップ２０−１〜８のつば部２１は何れも上ケース７０のキートップ露出部７１−１〜６の内周辺があるため、下記する上ケース７０に設けたキートップ露出部７１の内周辺の下面側に入り込むように設置されるが、前記キートップ２０−２，３とキートップ２０−４，５の対向している辺間にはキートップ露出部７１の内周辺、つまり上ケース７０自身が存在しないことによる。そしてこの実施形態においては、上記各キートップ２０−１〜８は、何れも透光性を有する（即ち透明又は半透明な）合成樹脂（この実施形態ではポリカーボネート樹脂を用いているが、他の各種合成樹脂を用いても良い）の成形品であって、その下面を除く表面（つば部２１を含むその上面及びつば部２１を含むその外周側面全体）に遮光部（以下この実施形態では「遮光層」という）２３を設け、遮光層２３の所定位置に抜き文字等の抜き形状部２５を設けて構成されている。さらに具体的に各キートップ２０−１〜８の構造をキートップ２０−２を用いて説明すると、キートップ２０−２は図５（図４のＡ−Ａ断面図）に示すように、少なくとも抜き形状部２５を形成する部分を含む透光性を有する合成樹脂製のキートップ２０−２の上面に、光を通す色彩層２７をスプレー印刷等によって形成し、次にキートップ２０−２の下面を除くキートップ２０−２の表面全体（つば部２１を含むキートップ上面及びつば部２１を含むキートップ外周側面全体）に光を通さない遮光層２３をスプレー印刷等によって形成し、その後レーザートリミング等の手段によって抜き形状部２５となる部分の遮光層２３のみを除去することによって製造される。この実施形態では色彩層２７の色彩として青色や白色等のものを用い、遮光層２３の色彩として黒色のものを用いている。従ってこれらキートップ２０−１〜８をその下面側から照光すると、抜き形状部２５の部分のみを明るく照らし出すことができる。そのとき照らし出される色彩は色彩層２７の色彩となる。言い換えればキートップ２０−１〜８を透して照らし出されるキートップ２０−１〜８表面の範囲を制限するように遮光層２３が設けられている。なおこれら各キートップ２０−１〜８はゴム状弾性板３０上に接着等によって取り付けられるため、何れのキートップ２０−１〜８の下面（ゴム状弾性板３０に対向する面）も平面状に形成されている。
【００２１】
図３はゴム状弾性板３０を図２の裏面（下面）側から見た斜視図である。図２，図３に示すようにゴム状弾性板３０は、ゴム状の弾性を有し且つ透光性を有する（即ち透明又は半透明な）材料（この実施形態では半透明な灰色のシリコンゴムを用いているが、他の各種材料を用いても良い）を略矩形状の平板状に成形して構成されている。そしてゴム状弾性板３０の外周下面には下方向に帯状に突出する外周突出部３１が設けられ、またこのゴム状弾性板３０の前記各キートップ２０−１〜８を取り付ける位置の裏面側にはそれぞれ柱状に突出する押圧部３３が設けられている。ここでゴム状弾性板３０のキートップ２０−１を取り付ける位置の裏面側には等間隔に四つの押圧部３３が設けられキートップ２０−１を四方向に押圧するように構成されており、それ以外のキートップ２０−２〜８を取り付ける位置の裏面側には一つずつの押圧部３３が設けられている。一方ゴム状弾性板３０の上面（キートップ２０−１〜８を取り付ける側の表面）の前記隣接して設置された一対のキートップ２０−２，３の隙間Ｓ１と、一対のキートップ２０−４，５の隙間Ｓ２の位置での表面にはそれぞれ遮蔽部材（以下この実施形態では「遮蔽層」という）３５が設けられている。遮蔽層３５はゴム状弾性板３０の上面の前記隙間Ｓ１，Ｓ２での位置に、光を通さない塗料をシルク印刷等によって矩形状に印刷することで形成されている。この遮蔽層３５の色彩は、この実施形態においては前記各キートップ２０−１〜８の遮光層２３の色彩と同一色（即ち黒色）としている。さらにゴム状弾性板３０の上面の下記する各発光素子５５の真上の位置にはそれぞれ光を散乱する光散乱部材（以下この実施形態では「光散乱層」という）３７が形成されている。即ち光散乱層３７は、ゴム状弾性板３０の上面の下記する各発光素子５５の真上の位置に、光を通さない塗料をシルク印刷等によって略長円形状に印刷することで形成されている。この光散乱層３７の色彩としては、光は通さないが光を吸収しにくいものが好適であり、この実施形態では白色を用いている。もちろん遮蔽層３５や光散乱層３７の色彩は上記実施形態のものに限定されず、他の種々の色彩で構成しても良く、またそれらを形成する方法はシルク印刷以外の各種形成方法を用いても良い。また遮蔽層３５の代わりに遮蔽部材として遮蔽シートを用い、この遮蔽シートをゴム状弾性板３０に貼り付けるなどして取り付けても良い。遮蔽シートの色彩も上記遮蔽層３５の色彩と同様である。また光散乱層３７の代わりに光散乱部材として光散乱シートを用い、この光散乱シートをゴム状弾性板３０に貼り付けるなどして取り付けても良い。光散乱シートの色彩も上記光散乱層３７の色彩と同様である。
【００２２】
フレキシブルスイッチ基板５０は可撓性を有する合成樹脂フイルム（この実施形態ではポリイミドフイルムを用いているが、他の各種熱硬化性又は熱可塑性の合成樹脂フイルムでも良い）製の基板５１の上面（ゴム状弾性板３０側の表面）の所定位置（前記ゴム状弾性板３０の各押圧部３３に対向する位置）にそれぞれスイッチ５３を設け、またその所定位置（前記ゴム状弾性板３０の各光散乱層３７に対向する位置）にそれぞれ発光素子５５を設置して構成されている。フレキシブルスイッチ基板５０の外形寸法は前記ゴム状弾性板３０の外形形状よりも少し小さい矩形状に形成されている。スイッチ５３は基板５１上面に形成した図示しないスイッチパターン上に弾性金属板をドーム形状に形成してなる反転板５３ａを取り付けて構成されており、また発光素子５５はチップ型であり、基板５１上面に形成した図示しない回路パターンにその端子を接続・固定して設置されている。
【００２３】
上ケース７０は図１に示すように不透光性の合成樹脂を前記キートップ板１０の外形寸法よりも少し大きい矩形平板状に成形して構成されており、前記各キートップ２０−１〜８に対向する位置にはそれぞれつば部２１を除いた各キートップ２０−１〜８の上面全体が露出する形状の開口からなるキートップ露出部７１（７１−１〜６）が設けられ、またその外周下面からは帯状に下方向（ゴム状弾性板３０側）に向かって突出する突出部７３を設けている。なお一つのキートップ露出部７１−２には複数（二つ）のキートップ２０−２，３が設置され、また一つのキートップ露出部７１−３には複数（二つ）のキートップ２０−４，５が設置されている。
【００２４】
下ケース９０は不透光性の合成樹脂を前記上ケース７０の外形寸法と略同一外形寸法の矩形平板状に成形して構成されており、その外周上面からは帯状に上方向（ゴム状弾性板３０側）に向かって突出する突出部９１を設けることでその内側に収納部９３を形成している。
【００２５】
照光型スイッチ機構１−１の組み立ては、上ケース７０の下面側にキートップ板１０とフレキシブルスイッチ基板５０とを設置し、更にその下面側に下ケース９０を配置し、上ケース７０と下ケース９０間を図示しない位置で一体に固定することで行われる。これによって図４に示す照光型スイッチ機構１−１が完成する。このとき各キートップ２０−１〜８の上面は上ケース７０のキートップ露出部７１−１〜６内にぴったり露出する。図５は図４のＡ−Ａ概略断面図である。同図に示すキートップ２０−２からも分かるように、各キートップ２０−１〜８のそれぞれに設けたつば部２１は、各キートップ２０−１〜８の外周辺から上ケース７０のキートップ露出部７１−１〜５の内周辺に向かって突出し、各つば部２１の上面が上ケース７０の下面に対向している。またキートップ露出部７１−２，３内に設置された複数のキートップ２０−２，３及び２０−４，５は、図５に示すキートップ２０−２，３からも分かるように、それらの対向する辺の隙間Ｓ１及びＳ２の部分についてはつば部２１が設けられていない代りに前記隙間Ｓ１及びＳ２に露出するゴム状弾性板３０の面に遮蔽層３５が設けられている。またゴム状弾性板３０の各押圧部３３に対向する位置にはフレキシブルスイッチ基板５０のスイッチ５３の反転板５３ａが設置され、またゴム状弾性板３０の各光散乱層３７の真下の位置にはフレキシブルスイッチ基板５０の各発光素子５５が設置されている。またゴム状弾性板３０の外周突出部３１の部分は、上下ケース７０，９０によって挟持され、電気的機能部であるフレキシブルスイッチ基板５０の周囲の空間を密閉している。
【００２６】
以上のように構成された照光型スイッチ機構１−１において、何れかのキートップ２０−１〜８（キートップ２０−１については四方向の何れかの位置）を押圧すれば、その真下に位置する押圧部３３がこれに対向するスイッチ５３を押圧して反転板５３ａを反転してスイッチがオンすると同時にクリック感覚を生じる。前記押圧を解除すれば反転板５３ａが元の形状に自動復帰して、そのキートップ２０−１〜８が元の位置に押し上げられ、スイッチ５３がオフする。
【００２７】
一方発光素子５５（通常全ての発光素子５５）を発光すると、各発光素子５５から発射された光はゴム状弾性板３０を通ってキートップ２０−１〜８側に向かうが、発光素子５５の真上に照射された光は発光素子５５の真上にある光散乱層３７を通過できずにこの光散乱層３７によってその周囲に散乱される。つまり発光素子５５の真上に発射される光が最も強い光なので、光散乱層３７がないと、キートップ２０−１〜８の各発光素子２０−１〜８に接近している部分のみが明るく照光され、光ムラが生じてしまう。そこでこの実施形態では、各発光素子５５の真上に光散乱層３７を設けることで最も強い光をゴム状弾性板３０の他の部分に散乱させ、各キートップ２０−１〜８をムラなく均一に照光させるようにした。即ちゴム状弾性板３０からキートップ２０−１〜８側に透過した光は、透明な各キートップ２０−１〜８内を通過し、各抜き形状部２５の部分から各キートップ２０−１〜８の外部に照射され、これら各抜き形状部２５の部分を均一に照光する。一方ゴム状弾性板３０を透過した光の内の一部は、キートップ２０−１〜８の外周辺と上ケース７０のキートップ露出部７１−１〜６の内周辺の間の隙間から外方に抜け出ようとする。しかしながらこの実施形態においては、キートップ２０−１〜８の外周辺とキートップ露出部７１−１〜６の内周辺の間の隙間には全てつば部２１が上ケース７０の下面側に到達するように設置され、且つキートップ２０−１〜８の外周側面とつば部２１には遮光層２３が設けられているので、この隙間に入り込もうとする光は遮蔽され、この隙間から光が漏れることはない。またつば部２１を設けていない隙間Ｓ１，Ｓ２の部分については、この隙間Ｓ１，Ｓ２に露出するゴム状弾性板３０の部分に遮蔽層３５が設けられているので、これら隙間Ｓ１，Ｓ２部分はキートップ露出部７１−２，３内でケース７０の外部から直接ゴム状弾性板３０が見える部分ではあるが、この隙間Ｓ１，Ｓ２に光が漏れることはない。同時に遮蔽層３５の色彩によってゴム状弾性板３０自体の表面の色彩の露出を防止でき、所望の色彩とすることができる。以上のことから発光素子５５から発射された光は、キートップ２０−１〜８とキートップ露出部７１−１〜６の間の隙間、及びキートップ２０−２，３間の隙間Ｓ１、キートップ２０−４，５間の隙間Ｓ２から漏れ出ることはなく、抜き形状部２５のみを効果的に照光することができる。同時に各隙間の位置での色彩を遮光層２３の色彩又は遮蔽層３５の色彩とすることができる。
【００２８】
即ちこの実施形態には、可撓性を有し且つ透光性を有するゴム状弾性板３０上に透光性を有するキートップ２０−１〜８を取り付けてなるキートップ板１０と、キートップ板１０の上面側に設置され、前記キートップ２０−１〜８を露出するキートップ露出部７１−１〜６を有する上ケース７０と、キートップ板１０の下面側に設置されキートップ板１０を照光する発光素子５５と、キートップ板１０の下面側に設置され各キートップ２０−１〜８によって押圧されるスイッチ５３と、を具備してなる照光型スイッチ機構１−１において、上ケース７０のキートップ露出部７１−１〜６内で上ケース７０の上面側から直接見えるゴム状弾性板３０に遮蔽層３５を形成した構成が開示されている。またこの実施形態には、キートップ露出部７１−２（又は３）内には複数のキートップ２０−２，３（又は２０−４，５）が設置されており、これら複数のキートップ２０−２，３（又は２０−４，５）の間に生じる隙間Ｓ１（又はＳ２）で且つ上ケース７０の上面側から直接見えるゴム状弾性板３０に、前記遮蔽層３５が形成されている構成が開示されている。またこの実施形態には、キートップ２０−１〜８に、キートップ２０−１〜８を透して照らし出されるキートップ２０−１〜８表面の範囲を制限する遮光層２３が設けられており、この遮光層２３の色彩と、前記遮蔽層３５の色彩とを同色（黒色）とした構成が開示されている。またこの実施形態には、上ケース７０のキートップ露出部７１−１〜６の内周辺と、キートップ２０−１〜８の外周辺との間の隙間の真下であって、少なくとも遮蔽層３５を形成した以外の部分に、キートップ２０−１〜８の外周辺から上ケース７０のキートップ露出部７１−１〜６の内周辺に向かって突出する遮蔽用つば部２１が形成されている構成が開示されている。またこの実施形態には、ゴム状弾性板３０の発光素子５５の真上の位置に、光を散乱する光散乱層３７を形成した構成が開示されている。
【００２９】
図６は本発明の他の実施形態にかかる照光型スイッチ機構１−２の概略断面図（図５に相当する部分の概略断面図）である。同図に示す照光型スイッチ機構１−２において、前記図１〜図５に示す照光型スイッチ機構１−１と同一又は相当部分には同一符号を付す。なお以下で説明する事項以外の事項については、前記照光型スイッチ機構１−１と同じである。この実施形態において前記実施形態と相違する点は、上ケース７０の外周近傍のキートップ露出部７１−２にキートップ２０−２が位置するため、キートップ２０−２の上ケース７０の外周近傍部分につば部２１を設けることができない。従ってつば部２１を省略することでキートップ２０−２の外周辺とキートップ露出部７１−２の内周辺との間に生じる隙間Ｓ３部分に露出するゴム状弾性板３０の表面に、前記遮蔽層３５と同一の遮蔽部材（以下この実施形態では「遮蔽層」という）３５−２を設けた点のみである。即ち遮蔽層３５−２は、キートップ同士の隙間のみでなく、必要に応じてキートップとキートップ露出部の間に生じる隙間に露出するゴム状弾性板３０の表面にも同様に形成することで、つば部２１を設けなくても（設けることができなくても）その隙間からの光漏れを容易に防止することができる。同時にその隙間Ｓ３の部分のゴム状弾性板３０の表面の色彩を遮蔽層３５−２の色彩とすることができる。即ちこの実施形態（図７の実施形態も同様である）には、キートップ２０−２（２０）の外周辺とこのキートップ２０−２（２０）を設置したキートップ露出部７１−２（７１）の内周辺との間に生じる隙間で且つ上ケース７０の上面側から直接見えるゴム状弾性板３０に、前記遮蔽層３５−２（３５−３）が形成されている構成が開示されている。
【００３０】
図７は本発明のさらに他の実施形態にかかる照光型スイッチ機構１−３の概略断面図である。同図に示す照光型スイッチ機構１−３において、前記図１〜図５に示す照光型スイッチ機構１−１と同一又は相当部分には同一符号を付す。なお以下で説明する事項以外の事項については、前記照光型スイッチ機構１−１と同じである。この実施形態においては、上ケース７０のキートップ露出部７１内に設置されたキートップ２０が１つの場合であって、たとえそのキートップ２０の外周全体につば部２１を設けず（又は設けることができず）、前記外周全体の隙間Ｓ４からゴム状弾性板３０の表面が直接見える場合であっても、前記隙間Ｓ４に露出するゴム状弾性板３０の表面にリング状に、前記遮蔽層３５と同一の遮蔽部材（以下この実施形態では「遮蔽層」という）３５−３を設けることで、その隙間Ｓ４からの光の漏れを容易に防止することができるようにしている。同時にその隙間Ｓ４の部分のゴム状弾性板３０の表面の色彩を遮蔽層３５−３の色彩とすることができる。なおこれら遮蔽層３５−２，３５−３の代わりに遮蔽部材として遮蔽シートを取り付けても良いことは上記実施形態の遮蔽層３５の場合と同様である。
【００３１】
上記各実施形態で用いたキートップ２０（２０−１〜８）は、何れも１種類の成形樹脂のみによって構成されたものであるが、本発明では各種構造のキートップを用いることができる。例えば図８（ａ）に示すように成形樹脂製のキートップ本体２０１の上面に合成樹脂フイルム２０３を取り付けてなる構造のキートップ２０Ａでも良いし、図８（ｂ）に示すように成形樹脂製のキートップ本体２０１の下面に合成樹脂フイルム２０５を取り付けてなる構造のキートップ２０Ｂでも良いし、図８（ｃ）に示すように成形樹脂製のキートップ本体２０１の上下面にそれぞれ合成樹脂フイルム２０３，２０５を取り付けてなる構造のキートップ２０Ｃでも良い。ここで遮光層２３及び抜き形状部２５は、キートップ２０Ａの場合は例えば合成樹脂フイルム２０３の表面に設け、キートップ２０Ｂの場合例えば合成樹脂フイルム２０５の表面に設け、キートップ２０Ｃの場合は例えば両合成樹脂フイルム２０３，２０５の表面に設けている。遮光層２３は、合成樹脂フイルム２０３，２０５の表裏何れの表面に設けても良く、両面に設けても良い。また本発明に用いるキートップは図８（ｄ）に示すように、二材成形等によって複数の材質の合成樹脂を一体化することで形成してなるキートップ２０Ｄで構成しても良い。図示するキートップ２０Ｄは不透光性の合成樹脂からなる不透光部２０７の中央に上下に貫通して、透光性を有する合成樹脂からなる柱状の透光部２０８を取り付けて構成されている。キートップ２０Ｄの場合、不透光部２０７が前記遮光層２３に相当する遮光部であり、透光部２０８が前記抜き形状部２５に相当する。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば遮蔽層３５の形状は種々の変形が可能であり、またその色彩も種々の変更が可能であり、必ずしも遮光層２３の色彩と同色を用いなくても良い。遮蔽層３５はキートップ周囲の光漏れを防止する機能の他に、デザインを良好にする機能も有する。即ちゴム状弾性板３０の色彩（例えば灰色）が上ケース７０の外部から見えてしまうのはデザイン上好ましくない場合があり、このような場合に所望の色彩の前記遮蔽層３５を設けることで、キートップ周囲の隙間の色彩を所望の色彩にすることができる。
【００３３】
また例えばキートップ２０の形状や構造、キートップ板１０へのキートップ２０の配列状態、つば部２１の形状・構造、ケース７０の形状・構造、キートップ露出部７１の形状・構造、発光素子５５の配置位置、スイッチ５３の構造等も種々の変更が可能であることはいうまでもない。またフレキシブルスイッチ基板５０の代りに、硬質基板を用いて形成されるスイッチ基板を用いても良い。またつば部２１は少なくとも遮蔽層３５が露出している以外の隙間に設けるものであればよく、従ってつば部２１の一部が遮蔽層３５を設けている部分の上に重ねて設置されていても良い。
【図面の簡単な説明】
【００３４】
【図１】照光型スイッチ機構１−１の分解斜視図である。
【図２】キートップ板１０とフレキシブルスイッチ基板５０の分解斜視図である。
【図３】ゴム状弾性板３０を裏面側から見た斜視図である。
【図４】照光型スイッチ機構１−１の斜視図である。
【図５】図４のＡ−Ａ概略断面図である。
【図６】照光型スイッチ機構１−２の概略断面図である。
【図７】照光型スイッチ機構１−３の概略断面図である。
【図８】他の各種構造のキートップ２０Ａ，Ｂ，Ｃ，Ｄを示す概略断面図である。
【符号の説明】
【００３５】
１−１  照光型スイッチ機構
１０  キートップ板
２０（２０−１〜８）  キートップ
２１  つば部（遮蔽用つば部）
２３  遮光層（遮光部）
２５  抜き形状部
２７  色彩層
Ｓ１，Ｓ２  隙間
３０  ゴム状弾性板
３３  押圧部
３５  遮蔽層（遮蔽部材）
３７  光散乱層（光散乱部材）
５０  フレキシブルスイッチ基板（スイッチ基板）
５３  スイッチ
５５  発光素子
７０  上ケース（ケース）
７１（７１−１〜６）  キートップ露出部
９０  下ケース
１−２  照光型スイッチ機構
Ｓ３  隙間
３５−２  遮蔽層（遮蔽部材）
１−３  照光型スイッチ機構
Ｓ４  隙間
３５−３  遮蔽層（遮蔽部材）
２０Ａ，２０Ｂ，２０Ｃ，２０Ｄ  キートップ
２０７  不透光部（遮光部）
２０８  透光部（抜き形状部）
【図１】
2007048618.tif 000003
【図２】
2007048618.tif 000004
【図３】
2007048618.tif 000005
【図４】
2007048618.tif 000006
【図５】
2007048618.tif 000007
【図６】
2007048618.tif 000008
【図７】
2007048618.tif 000009
【図８】
2007048618.tif 000010